【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
ステープルを組織に施すための外科用ステープラーであって、
駆動子を備えたステープラー本体と、
前記ステープラー本体に連結されたマガジンとを有し、前記マガジンは各々がステープル脚部を有する複数のステープルを支持するためのステープル台と、前記ステープル台に取り付けられたそれぞれの前記ステープルを形成するためのステープル形成面をなす曲げ台と、それぞれの前記ステープルを前記ステープル台から前記曲げ台に供給するため前記複数のステープルに対してバネ付勢されるフィーダー要素と、前記ステープル台と前記曲げ台の下でかつ実質的に平行に配置されたキックオフ・スプリングとを有し、
前記曲げ台の前記ステープル形成面にて前記ステープルを形成するように、前記曲げ台に対して射出前位置から射出位置に移動可能である前記駆動子を移動し、前記駆動子に作動的に連結されたトリガーとを有し、
前記キックオフ・スプリングは可撓性先端部を有し、前記可撓性先端部は、前記トリガーが前記射出前位置から射出位置に移動するとき、前記ステープル脚部が前記先端部に対して下方向にカム動作をすることにより、前記曲げ台から離れるように前記ステープルの前記ステープル脚部によって撓み、前記ステープル脚部の両末端が回転ポイントで前記組織内に固定され、前記キックオフ・スプリングは、前記トリガーが前記射出位置から前記射出前位置に戻るときに、前記ステープル脚部に対して上方にカム動作をすることによって、前記ステープル脚部を前記可撓性先端部から離脱させ、前記ステープルを前記曲げ台から離れるように射出し、前記ステープルが前記回転ポイントで回転する、ことを特徴とするステープルを組織に施すための外科用ステープラー。
【請求項２】
前記キックオフ・スプリングの前記可撓性先端部は少なくとも一つの傾斜面を有することを特徴とする請求項１記載の外科用ステープラー。
【請求項３】
前記少なくとも一つの傾斜面は湾曲外端部を有することを特徴とする請求項２記載記載の外科用ステープラー。
【請求項４】
前記キックオフ・スプリングはプラスチック材から作製されることを特徴とする請求項３記載の外科用ステープラー。
【請求項５】
前記キックオフ・スプリングの前記可撓性先端部は、２つの傾斜面を有し、その間に切り欠きが介在することを特徴とする請求項１記載の外科用ステープラー。
【請求項６】
前記２つの傾斜面は湾曲した外端部を有することを特徴とする請求項５記載記載の外科用ステープラー。
【請求項７】
前記２つの傾斜面は実質的にＣ−形状の形態を有することを特徴とする請求項６記載の外科用ステープラー。
【請求項８】
前記キックオフ・スプリングは、前記可撓性先端部を通る縦軸の一部に沿った縦長の割れ目と、前記可撓性先端部における前記割れ目の各側部に位置する傾斜面とを含むことを特徴とする請求項１記載の外科用ステープラー。
【請求項９】
前記各傾斜面は前記キックオフ・スプリングの前記縦軸に向かって撓むことができることを特徴とする請求項８記載の外科用ステープラー。
【請求項１０】
前記各傾斜面は前記可撓性端部にて前記キックオフ・スプリングの前記縦軸と交差するように撓むことができることを特徴とする請求項９記載の外科用ステープラー。
【請求項１１】
ステープルを組織に施すための改良型外科用ステープラーであって、ステープラー本体と、その中に含まれた駆動子とを備え、前記ステープラー本体に連結されたマガジンを有し、前記マガジンは各々がステープル脚部を有する複数のステープルを支持するためのステープル台と、前記ステープル台に取り付けられたそれぞれの前記ステープルを形成するためのステープル形成面をなす曲げ台と、それぞれの前記ステープルを前記ステープル台から前記曲げ台に供給するため前記複数のステープルに対してバネ付勢されるフィーダー要素と、前記曲げ台の前記ステープル形成面にて前記ステープルを形成するように前記曲げ台に向けて前記駆動子を移動し、前記射出前位置から射出位置に移動可能である前記駆動子に作動的に連結されたトリガーとを有する、改良された外科用ステープラーであって、
キックオフ・スプリングが前記ステープル台と前記曲げ台の下でかつ実質的に平行に配置され、前記キックオフ・スプリングは可撓性先端部を有し、前記可撓性先端部は、前記トリガーが前記射出前位置から射出位置に移動するとき、前記ステープル脚部が前記先端部に対して下方向にカム動作をすることにより、前記曲げ台から離れるように前記ステープルの前記ステープル脚部によって撓み、前記ステープル脚部の両末端が回転ポイントで前記組織内に固定され、前記キックオフ・スプリングは、前記トリガーが前記射出位置から前記射出前位置に戻るときに、前記ステープル脚部に対して上方にカム動作をすることによって、前記ステープル脚部を前記可撓性先端部から離脱させ、前記ステープルを前記曲げ台から離れるように射出し、前記ステープルが前記回転ポイントで回転する、ことを特徴とするステープルを組織に施すための改良型外科用ステープラー。
【請求項１２】
前記キックオフ・スプリングの前記可撓性先端部は少なくとも一つの傾斜面を有することを特徴とする請求項１１記載の外科用ステープラー。
【請求項１３】
前記少なくとも一つの傾斜面は湾曲外端部を有することを特徴とする請求項１２記載の外科用ステープラー。
【請求項１４】
前記キックオフ・スプリングはプラスチック材から作製されることを特徴とする請求項１３記載の外科用ステープラー。
【請求項１５】
前記キックオフ・スプリングの前記可撓性先端部は、２つの傾斜面を有し、その間に切り欠きが介在することを特徴とする請求項１１記載の外科用ステープラー。
【請求項１６】
前記２つの傾斜面は湾曲した外端部を有することを特徴とする請求項１５記載の外科用ステープラー。
【請求項１７】
前記２つの傾斜面は実質的にＣ−形状の形態を有することを特徴とする請求項１６記載の外科用ステープラー。
【請求項１８】
前記キックオフ・スプリングは、前記可撓性先端部を通る縦軸の一部に沿った縦長の割れ目と、前記可撓性先端部における前記割れ目の各側部に位置する傾斜面とを含むことを特徴とする請求項１１記載の外科用ステープラー。
【請求項１９】
前記各傾斜面は前記キックオフ・スプリングの前記縦軸に向かって撓むことができることを特徴とする請求項１８記載の外科用ステープラー。
【請求項２０】
前記各傾斜面は前記可撓性端部にて前記キックオフ・スプリングの前記縦軸と交差するように撓むことができることを特徴とする請求項１９記載の外科用ステープラー。
【請求項２１】
ステープルを組織に施すための改良型外科用ステープラーであって、ステープラー本体と、その中に含まれた駆動子とを備え、前記ステープラー本体に連結されたマガジンを有し、前記マガジンは各々がステープル脚部を有する複数のステープルを支持するためのステープル台と、前記ステープル台に取り付けられたそれぞれの前記ステープルを形成するためのステープル形成面をなす曲げ台と、それぞれの前記ステープルを前記ステープル台から前記曲げ台に供給するため前記複数のステープルに対してバネ付勢されるフィーダー要素と、前記曲げ台の前記ステープル形成面にて前記ステープルを形成するように、前記曲げ台に対して前記駆動子を移動し、前記射出前位置から射出位置に移動可能である、前記駆動子に作動的に連結されたトリガーとを有する、改良された外科用ステープラーであって、
キックオフ・スプリングが前記ステープル台と前記曲げ台の下でかつ実質的に平行に配置され、前記キックオフ・スプリングは縦軸と、前記縦軸の実質的な一部分に沿って延びる縦長の細孔とを有し、また前記キックオフ・スプリングは、前記縦長の細孔の端部に１組の傾斜歯を含む可撓性先端部を有し、前記傾斜歯は、前記トリガーが前記射出前位置から射出位置に移動するとき、前記ステープルの前記ステープル脚部が前記傾斜歯に対してカム動作をすることにより、前記縦軸に向かって内方に撓むことができ、前記ステープル脚部の両末端が回転ポイントで前記組織内に固定され、前記キックオフ・スプリングは、前記トリガーが前記射出位置から前記射出前位置に戻るときに、前記ステープルを前記曲げ台から離れるように射出し、かつ、前記傾斜歯を前記縦軸から離れるように外側に撓ませることによって前記ステープル脚部を離脱させ、前記ステープルが前記回転ポイントで回転する、ことを特徴とするステープルを組織に施すための改良型外科用ステープラー。
【請求項２２】
外科用ステープルを組織に配置するための方法であって、
ステープラー本体と、その中に含まれる駆動子とを有し、前記ステープラー本体に連結された接触面を持つマガジンを有し、前記マガジンは各々がステープル脚部を有する複数のステープルを支持するためのステープル台と、前記ステープル台に取り付けられたそれぞれの前記ステープルを形成するためのステープル形成面をなす曲げ台と、それぞれの前記ステープルを前記ステープル台から前記曲げ台に供給するため前記複数のステープルに対してバネ付勢されるフィーダー要素と、前記ステープル台と前記曲げ台の下でかつ実質的に平行に配置されたキックオフスプリングとを有し、前記キックオフ・スプリングは可撓性先端部を有し、前記可撓性先端部は、前記トリガーが前記射出前位置から射出位置に移動するとき、前記ステープル脚部が前記先端部に対して下方向にカム動作をすることにより、前記曲げ台から離れるように前記ステープルの前記ステープル脚部によって撓み、前記キックオフ・スプリングは、前記トリガーが前記射出位置から前記射出前位置に戻るときに、前記ステープル脚部に対して上方にカム動作をすることによって、前記ステープル脚部を前記可撓性先端部から離脱させ、前記ステープルを前記曲げ台から離れるように射出する、外科用ステープラーを用意し、
前記接触面が前記組織と接触するように、前記マガジンを前記組織に対して配置し、
前記駆動子を作動させ、
前記駆動子により前記曲げ台にて前記ステープルを形成し、
前記ステープルが前記組織内に駆動されるに伴い、前記キックオフ・スプリングの前記可撓性先端部とともに前記ステープルの前記ステープル脚部が下方向にカム様に動かすことにより、前記キックオフ・スプリングの前記可撓性先端部を、前記曲げ台から離れるように撓ませ、
前記ステープルの前記両末端が回転ポイントで前記組織内に固定されるように、前記ステープル脚部を前記組織内に駆動し、
前記ステープル脚部に対して上方にカム様に動かすことによって、前記ステープルの前記ステープル脚部を前記キックオフ・スプリングの前記可撓性先端部から離脱し、前記ステープルを前記組織内の前記回転ポイントで回転させることによって前記ステープルを前記曲げ台から離れるように射出する、
上記ステップを有することを特徴とする外科用ステープルを組織内に配置するための方法。